(57)【要約】【課題】機構を簡素化するとともに胴の剛性を低下させることなく、ブランケット又は刷版をより確実に固定できる固定装置を提供すること。【解決手段】輪転機において胴２０に巻き付けたブランケット１０又は刷版を固定するブランケット又は刷版の固定装置であって、胴２０に形成され、ブランケット又は刷版のくわえ側１１ａが引っ掛けられるとともに、くわえ尻側１１ｂが挿入される拘束溝２１と、拘束溝２１に挿入したくわえ尻側１１ｂとくわえ側１１ａとの間に挿入される拘束板３０と、拘束板３０の上面に引っ掛けられ、拘束板３０が拘束溝２１から抜けないように拘束する紐状体４０とを備える。【選択図】図１
0003153428.tif 000002
【実用新案登録請求の範囲】
【請求項１】
輪転機において胴に巻き付けたブランケット又は刷版を固定するブランケット又は刷版の固定装置であって、
前記胴に形成され、ブランケット又は刷版のくわえ側が引っ掛けられるとともに、くわえ尻側が挿入される拘束溝と、
前記拘束溝に挿入したくわえ尻側とくわえ側との間に挿入される拘束板と、
前記拘束板の上面に引っ掛けられ、前記拘束板が拘束溝から抜けないように拘束する紐状体とを備えたブランケット又は刷版の固定装置。
【請求項２】
前記拘束溝が、前記胴の胴軸側に向かって幅狭となるテーパー形状を有し、前記拘束板が、前記拘束溝のテーパー形状と整合するテーパー形状を有する請求項１に記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実にするための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。
【０００４】
しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【先行技術文献】
【特許文献】
【０００５】
【特許文献１】特開２００２−３２６３４１号公報
【考案の概要】
【考案が解決しようとする課題】
【０００６】
本考案が解決しようとする課題は、機構を簡素化するとともに胴の剛性を低下させることなく、ブランケット又は刷版をより確実に固定できる固定装置を提供することにある。
【課題を解決するための手段】
【０００７】
本考案の固定装置は、輪転機において胴に巻き付けたブランケット又は刷版を固定するブランケット又は刷版の固定装置であって、前記胴に形成され、ブランケット又は刷版のくわえ側が引っ掛けられるとともに、くわえ尻側が挿入される拘束溝と、前記拘束溝に挿入したくわえ尻側とくわえ側との間に挿入される拘束板と、前記拘束板の上面に引っ掛けられ、前記拘束板が拘束溝から抜けないように拘束する紐状体とを備えたものである。
【０００８】
なお、本考案において、「胴」とはブランケット胴及び版胴を総称するものである。
【考案の効果】
【０００９】
本考案によれば、拘束溝に挿入したくわえ尻側とくわえ側との間に拘束板を挿入し、かつ拘束板の上面に紐状体を引っ掛けて拘束板が拘束溝から抜けないように拘束するので、機構を簡素化するとともに胴の剛性を低下させることなく、ブランケット又は刷版をより確実に固定できる。
【図面の簡単な説明】
【００１０】
【図１】本考案の第１実施例を示す断面図である。
【図２】本考案の第１実施例における挿入部材の構成を示す。
【図３】本考案で使用する引張装置の一例を示し、（ａ）は平面図、（ｂ）は側面図、（ｃ）は斜視図である。
【図４】引張装置の他の例を示し、（ａ）は平面図、（ｂ）は側面図、（ｃ）は斜視図である。
【図５】本考案の第２実施例を示す断面図である。
【考案を実施するための形態】
【００１１】
以下、図面に示す実施例に基づき本考案の実施の形態を説明する。
【実施例１】
【００１２】
図１は、本考案の第１実施例を示す断面図である。この実施例の固定装置はブランケット１０をブランケット胴２０に固定するものである。このブランケット胴２０には、２頁幅のブランケット１０が１枚だけ巻き付けられる。
【００１３】
ブランケット１０は、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１４】
拘束溝２１内には、その胴軸方向全長にわたって拘束板３０が挿入され、この拘束板３０の上面の全長にわたって紐状体４０が引っ掛けられている。本実施例で使用した拘束板３０は、図２（ａ）に示すように、その上面を上に凸の円弧状に形成したが、図２（ｂ）に示すように略直線状に形成してもよい。紐状体４０としては、ワイヤ、ピアノ線等が挙げられ、これらに樹脂を被覆したものでもよい。
【００１５】
紐状体４０は、その一端が固定され、他端が引張装置に接続されている。これによって紐状体４０には張力が付加され、紐状体４０は、拘束板３０が拘束溝２１から抜けないように拘束する。その結果、くわえ尻側１１ｂが拘束板３０によって確実に拘束され、ブランケット１０がブランケット胴２０に確実に固定される。なお、紐状体４０の両端を引張装置に接続してもよい。
【００１６】
図３は、引張装置の一例を示し、（ａ）は平面図、（ｂ）は側面図、（ｃ）は斜視図である。同図に示す引張装置５０は、ブランケット胴２０の軸に設けられ、紐状体４０をドラム５１に巻き付けている。ドラム５１は架台５２に回転可能に支持されている。また、ドラム５１には六角ナットからなる操作部５３が固定されており、操作部５３に例えば六角レンチを嵌め込んで回転させることにより、ドラム５１を回転させるようにしている。ドラム５１を時計回りに回転させることで、紐状体４０がドラム５１に巻き取られ、紐状体４０に張力が付加される。
【００１７】
引張装置５０は、つめ５４とつめ車５５とからなるラチェット駆動機構を備えている。つめ車５５はドラム５１に固定されており、つめ５４がつめ車５５に噛み合っている状態では、つめ車５５及びドラム５１は、時計回り方向（紐状体４０を巻き取る方向）にのみ回転可能である。つめ５４とつめ車５５の噛み合いを解除すると、つめ車５５及びドラム５１はいずれの方向にも回転可能となり、紐状体４０への張力の付加を解除できる。
【００１８】
図４は、引張装置の他の例を示し、（ａ）は平面図、（ｂ）は側面図、（ｃ）は斜視図である。同図に示す引張装置６０では、ブランケット胴２０の軸に設けられた一対の架台６１，６１間に、支持軸６２ａと支持スリーブ６２ｂとが一体化された支持部材６２が支持軸６２ａの軸線周りに回転可能に装着されている。なお、図４（ｃ）では一対の架台６１，６１のうち、一方を省略して示している。
【００１９】
支持部材６２には、支持軸６２ａの軸線方向と直交する方向に貫通孔６２ｃが開けられており、貫通孔６２ｃに作動部材６３が挿通されている。作動部材６３の先端に紐状体４０が固定されており、作動部材６３の外周面には雄ねじが形成されている。そして、作動部材６３の雄ねじにナット６４が、支持部材６２の支持スリーブ６２ｂと対向するように螺合されている。したがって、ナット６４を締め付ける方向に回転させると作動部材６３を介して紐状体４０に張力が付加され、ナット６４を緩める方向に回転させると、紐状体４０への張力の付加を解除できる。
【実施例２】
【００２０】
図５は、本考案の第２実施例を示す断面図である。
【００２１】
本実施例では、拘束溝２１を、ブランケット胴２０の胴軸側に向かって幅狭となるテーパー形状とし、拘束板３０を、拘束溝２１のテーパー形状と整合するテーパー形状（くさび形）としている。このように、テーパー形状の拘束溝２１に同じテーパー形状の拘束板３０を圧入することで、拘束板３０が拘束溝２１からより一層抜けにくくなるとともに、くわえ尻側１１ｂが拘束板３０によってより確実に拘束される。
【００２２】
なお、本実施例では、拘束溝２１をテーパー形状とするために、テーパー加工した挿入部材２２が固定部材２３によって拘束溝２１の側壁に固定されている。そして、固定部材２３を装着するために、ブランケット胴２０には挿入孔２４が開けられ、固定部材２３を装着後、挿入孔２４には充填部材２５が充填される。なお、拘束溝２１の側壁を加工することにより、拘束溝２１をテーパー形状とすることもでき、この場合、挿入部材２２、固定部材２３、挿入孔２４及び充填部材２５は不要となる。
【００２３】
以上の実施例において、拘束板３０の材質はとくに限定されず、例えば金属、樹脂、弾性材とすることができる。ただし、実施例１の場合、拘束板３０を弾性材とすれば、紐状体４０に張力を付加したとき拘束板３０が変形し、くわえ側１１ａ及びくわえ尻側１１ｂを押圧して確実に拘束することができる。
【００２４】
以上の実施例の図面では、２頁幅のブランケットをブランケット胴に１枚だけ巻き付ける例を示したが、本考案は、２頁幅のブランケットをブランケット胴の軸方向に沿って２枚巻き付ける場合にも適用可能である。この場合、各々の拘束溝は１８０°位相をずらして形成されていることから、ブランケット胴の両端側には図３及び図４に示したような引張装置を設け、ブランケット胴の中央側には、例えば拘束溝よりもやや大きな凹部を形成し、この凹部に端部を太くした紐状体を引っ掛けるようにして、紐状体の端部を固定する。
【００２５】
また、以上の実施例では、ブランケットを固定する場合について説明したが、刷版も同様に固定できることは自明である。
【符号の説明】
【００２６】
１０  ブランケット
１１  金属板
１１ａ  くわえ側
１１ｂ  くわえ尻側
１２  ブランケットシート
２０  ブランケット胴
２１  拘束溝
２２  挿入部材
２３  固定部材
２４  挿入孔
２５  充填部材
３０  拘束板
４０  紐状体
５０  引張装置
５１  ドラム
５２  架台
５３  操作部
５４  つめ
５５  つめ車
６０  引張装置
６１  架台
６２  支持部材
６２ａ  支持軸
６２ｂ  支持スリーブ
６３  作動部材
６４  ナット
【図１】
0003153428.tif 000003
【図２】
0003153428.tif 000004
【図３】
0003153428.tif 000005
【図４】
0003153428.tif 000006
【図５】
0003153428.tif 000007